(57)【要約】【課題】室外温度が比較的高く、蓄熱材に十分な熱が蓄積されない場合であっても、室外熱交換器の確実な除霜運転を行うことができる冷凍サイクル装置を提供すること。【解決手段】除霜運転時には、圧縮機６の吐出冷媒が室外熱交換器１４に導かれるとともに、室内熱交換器１６を介して蓄熱熱交換器３４に導かれ、室外熱交換器１４を通った後の冷媒と、蓄熱熱交換器３４で蓄熱材３６と熱交換された冷媒と、が合流して圧縮機６の吸入側に導かれるよう構成し、かつ、室外温度センサ４４によって検知した室外側気温が所定の値以上の場合は、室外送風ファン４８を回転させるようにした。【選択図】図８
2012078015.tif 000002
【特許請求の範囲】
【請求項１】
圧縮機と、該圧縮機に接続された室内熱交換器と、該室内熱交換器と接続された膨張弁と、該膨張弁と接続された室外熱交換器と、室外送風ファンと室外温度検知手段を備え、前記室外熱交換器と圧縮機とが四方弁を介して接続された冷凍サイクル装置であって、
前記圧縮機を囲むように配置され、前記圧縮機で発生した熱を蓄熱する蓄熱材と、該蓄熱材に蓄熱された熱とで熱交換を行う蓄熱熱交換器とをさらに有し、
除霜運転時には、前記圧縮機の吐出冷媒が前記室外熱交換器に導かれるとともに、前記室内熱交換器を介して前記蓄熱熱交換器に導かれ、前記室外熱交換器を通った後の冷媒と、前記蓄熱熱交換器で前記蓄熱材と熱交換された冷媒と、が合流して前記圧縮機の吸入側に導かれるように構成し、かつ、前記室外温度検知手段によって検知した室外側気温が所定の値以上の場合は、室外送風ファンを回転させることを特徴とする冷凍サイクル装置。
【請求項２】
前記蓄熱材の温度を検知する蓄熱材温度検知手段をさらに有し、該蓄熱材温度検知手段が、蓄熱時の蓄熱材温度が所定の温度以下であることを検知した場合は、除霜運転時に前記室外送風ファンを回転させることを特徴とする請求項１に記載の冷凍サイクル装置。
【発明の詳細な説明】
【技術分野】
【０００１】
本発明は、圧縮機と室内熱交換器と膨張弁と室外熱交換器が互いに冷媒配管で接続された冷凍サイクル装置に関し、特に除霜運転時の圧縮機の信頼性を向上させることができる冷凍サイクル装置に関する。
【背景技術】
【０００２】
従来、ヒートポンプ式空気調和機による暖房運転時、室外熱交換器に着霜した場合には、暖房サイクルから冷房サイクルに四方弁を切り替えて除霜を行っている。この除霜方式では、室内ファンは停止するものの、室内機から冷気が徐々に放出されることから暖房感が失われるという欠点がある。
【０００３】
そこで、室外機に設けられた圧縮機に蓄熱槽を設け、暖房運転中に蓄熱槽に蓄えられた圧縮機の廃熱を利用して除霜するようにしたものが提案されている（例えば、特許文献１参照）。
【０００４】
図９は、このような除霜方式を採用した冷凍サイクル装置の一例を示しており、室外機に設けられた圧縮機１００と四方弁１０２と室外熱交換器１０４とキャピラリチューブ１０６と、室内機に設けられた室内熱交換器１０８とを冷媒配管で接続するとともに、キャピラリチューブ１０６をバイパスする第１バイパス回路１１０と、圧縮機１００の吐出側から四方弁１０２を介して室内熱交換器１０８へ至る配管に一端を接続し他端をキャピラリチューブ１０６から室外熱交換器１０４へ至る配管に接続した第２バイパス回路１１２が設けられている。また、第１バイパス回路１１０には、二方弁１１４と逆止弁１１６と蓄熱熱交換器１１８が設けられ、第２バイパス回路１１２には、二方弁１２０と逆止弁１２２が設けられている。
【０００５】
さらに、圧縮機１００の周囲には蓄熱槽１２４が設けられており、蓄熱槽１２４の内部には、蓄熱熱交換器１１８と熱交換するための潜熱蓄熱材１２６が充填されている。
【０００６】
この冷凍サイクルにおいて、除霜運転時には、二つの二方弁１１４，１２０が開制御され、圧縮機１００から吐出された冷媒の一部は第２バイパス回路１１２へと流れ、残りの冷媒は四方弁１０２と室内熱交換器１０８へと流れる。また、室内熱交換器１０８を流れた冷媒は暖房に利用された後、わずかの冷媒がキャピラリチューブ１０６を通って室外熱交換器１０４へと流れる一方、残りの大部分の冷媒は第１バイパス回路１１０へ流入し、二方弁１１４を通って蓄熱熱交換器１１８へと流れて蓄熱材１２６より熱を奪い、逆止弁１１６を通った後、キャピラリチューブ１０６を通過した冷媒と合流して室外熱交換器１０４へと流れる。その後、室外熱交換器１０４の入口で第２バイパス回路１１２を流れてきた冷媒と合流し、冷媒が持つ熱を利用して除霜を行い、さらに四方弁１０２を通過した後、圧縮機１００に吸入される。
【０００７】
この冷凍サイクル装置においては、第２バイパス回路１１２を設けることで、除霜時に圧縮機１００から吐出されたホットガスを室外熱交換器１０４に導くとともに、室外熱交換器１０４に流入する冷媒の圧力を高く保つことができるので、除霜能力を高めることができ、極めて短時間に除霜を完了することができる。
【先行技術文献】
【特許文献】
【０００８】
【特許文献１】特開平３−３１６６６号公報
【発明の概要】
【発明が解決しようとする課題】
【０００９】
特許文献１に記載の冷凍サイクル装置においては、圧縮機１００から吐出された冷媒と、蓄熱熱交換器１１８を通過する際に蓄熱材１２６に蓄積された熱を奪った冷媒とが、室外熱交換器１０４に供給されることにより、室外熱交換器１０４の除霜運転が行われる。そのため、蓄熱材１２６に十分な熱が蓄積されていないような場合にあっては、室外熱交換器１０４の確実な除霜運転を行うことができない場合が生じ得る。
【００１０】
特に室外温度が高いときには、大きい暖房能力を必要としないために、圧縮機を低能力で長時間運転することが多く、このような場合は圧縮機の温度が低いために、蓄熱材１２６に十分な熱が蓄積されないことが多い。
【００１１】
本発明は、従来技術の有するこのような問題点に鑑みてなされたものであり、蓄熱材の温度が上がりにくい、室外温度の高い条件において、室外熱交換器１０４の確実な除霜運転を行うことができる冷凍サイクル装置を提供することを目的としている。
【課題を解決するための手段】
【００１２】
上記目的を達成するために、本発明は、圧縮機と、該圧縮機に接続された室内熱交換器と、該室内熱交換器と接続された膨張弁と、該膨張弁と接続された室外熱交換器と、室外送風ファンと室外温度検知手段を備え、室外熱交換器と圧縮機とが四方弁を介して接続された冷凍サイクル装置であって、圧縮機を囲むように配置され、圧縮機で発生した熱を蓄熱する蓄熱材と、該蓄熱材に蓄熱された熱とで熱交換を行う蓄熱熱交換器と、をさらに有し、除霜運転時には、圧縮機の吐出冷媒が室外熱交換器に導かれるとともに、室内熱交換器を介して蓄熱熱交換器に導かれ、室外熱交換器を通った後の冷媒と、蓄熱熱交換器で蓄熱材と熱交換された冷媒と、が合流して圧縮機の吸入側に導かれるとともに室外温度検知手段によって検知した室外側気温が所定の値以上の場合は、室外送風ファンを回転させるようにしたものである。
【発明の効果】
【００１３】
本発明によれば、蓄熱材の温度が上がりにくい、室外側気温の高い条件において、室外熱交換器に室外空気中の熱を供給することができるため、室外熱交換器の確実な除霜運転を行うことができる。
【図面の簡単な説明】
【００１４】
【図１】本発明の実施の形態１に係る冷凍サイクル装置を備えた空気調和機の構成を示す図
【図２】図１の空気調和機の通常暖房時の動作及び冷媒の流れを示す模式図
【図３】図１の空気調和機の除霜・暖房時の動作及び冷媒の流れを示す模式図
【図４】図１の空気調和機の冷媒配管における液相冷媒と気相冷媒の合流部分の形状を示す図
【図５】本発明の実施の形態２に係る冷凍サイクル装置を備えた空気調和機の冷媒配管における液相冷媒と気相冷媒の合流部分の形状を示す図
【図６】本発明の実施の形態３に係る冷凍サイクル装置を備えた空気調和機の構成を示す図
【図７】図６の空気調和機の冷媒配管における液相冷媒と気相冷媒の合流部分の形状を示す図
【図８】本発明の除霜運転における室外送風ファンの制御例を示すフローチャート
【図９】従来の冷凍サイクル装置の構成を示す模式図
【発明を実施するための形態】
【００１５】
第１の発明は、圧縮機と、該圧縮機に接続された室内熱交換器と、該室内熱交換器と接続された膨張弁と、該膨張弁と接続された室外熱交換器と、室外送風ファンと室外温度検知手段を備え、室外熱交換器と圧縮機とが四方弁を介して接続された冷凍サイクル装置であって、圧縮機を囲むように配置され、圧縮機で発生した熱を蓄熱する蓄熱材と、該蓄熱材に蓄熱された熱とで熱交換を行う蓄熱熱交換器とをさらに有し、除霜運転時には、前記圧縮機の吐出冷媒が前記室外熱交換器に導かれるとともに、前記室内熱交換器を介して前記蓄熱熱交換器に導かれ、前記室外熱交換器を通った後の冷媒と、前記蓄熱熱交換器で前記蓄熱材と熱交換された冷媒と、が合流して前記圧縮機の吸入側に導かれる構成とし、かつ、室外温度検知手段によって検知した室外側気温が所定の値以上の場合は、室外送風ファンを回転させるようにしたものである。
【００１６】
これにより、蓄熱材の温度が上がりにくい、室外側気温の高い条件において、室外熱交換器に室外空気中の熱を供給することができるため、室外熱交換器の確実な除霜運転を行うことができる。
【００１７】
第２の発明は、特に第１の発明において、蓄熱材の温度を検知する蓄熱材温度検知手段をさらに有し、該蓄熱材温度検知手段が、蓄熱時の蓄熱材温度が所定の温度以下であることを検知した場合は、除霜運転時に前記室外送風ファンを回転させる。
【００１８】
この構成により、特に蓄熱時に蓄熱材の温度が上がってない場合において、室外熱交換器に室外空気中の熱を供給することができるため、室外熱交換器の確実な除霜運転を行うことができるだけでなく、蓄熱財の蓄熱量が十分にあるときには、室外送風ファンを回転させずにすむため、より経済的である。
【００１９】
以下、本発明の実施の形態について、図面を参照しながら説明する。なお、この実施の形態によって本発明が限定されるものではない。
【００２０】
（実施の形態１）
図１は、本発明の実施の形態１に係る冷凍サイクル装置を備えた空気調和機の構成を示しており、空気調和機は、冷媒配管で互いに接続された室外機２と室内機４とで構成されている。
【００２１】
図１に示されるように、室外機２の内部には、圧縮機６と四方弁８とストレーナ１０と膨張弁１２と室外熱交換器１４とが設けられ、室内機４の内部には、室内熱交換器１６が設けられ、これらは冷媒配管を介して互いに接続されることで冷凍サイクルを構成している。
【００２２】
なお、室外機２の内部には、室外熱交換器１４と室外空気を熱交換させるための室外送風ファン４８や、室外空気温度を検知する室外温度センサ４４や、後述する蓄熱材３６の温度を検知する蓄熱材温度センサも内蔵されている。
【００２３】
さらに詳述すると、圧縮機６と室内熱交換器１６は、四方弁８が設けられた第１配管１８を介して接続され、室内熱交換器１６と膨張弁１２は、ストレーナ１０が設けられた第２配管２０を介して接続されている。また、膨張弁１２と室外熱交換器１４は第３配管２２を介して接続され、室外熱交換器１４と圧縮機６は第４配管２４を介して接続されている。
【００２４】
第４配管２４の中間部には四方弁８が配置されており、圧縮機６の冷媒吸入側における第４配管２４には、液相冷媒と気相冷媒を分離するためのアキュームレータ２６が設けら
れている。また、圧縮機６と第３配管２２は、第５配管２８を介して接続されており、第５配管２８には第１電磁弁３０が設けられている。
【００２５】
さらに、圧縮機６の周囲には蓄熱槽３２が設けられ、蓄熱槽３２の内部には、蓄熱熱交換器３４が設けられるとともに、蓄熱熱交換器３４と熱交換するための蓄熱材（例えば、エチレングリコール水溶液）３６が充填されており、蓄熱槽３２と蓄熱熱交換器３４と蓄熱材３６とで蓄熱装置を構成している。
【００２６】
また、第２配管２０と蓄熱熱交換器３４は第６配管３８を介して接続され、蓄熱熱交換器３４と第４配管２４は第７配管４０を介して接続されており、第６配管３８には第２電磁弁４２が設けられている。
【００２７】
室内機４の内部には、室内熱交換器１６に加えて、送風ファン（図示せず）と上下羽根（図示せず）と左右羽根（図示せず）とが設けられており、室内熱交換器１６は、送風ファンにより室内機４の内部に吸込まれた室内空気と、室内熱交換器１６の内部を流れる冷媒との熱交換を行い、暖房時には熱交換により暖められた空気を室内に吹き出す一方、冷房時には熱交換により冷却された空気を室内に吹き出す。上下羽根は、室内機４から吹き出される空気の方向を必要に応じて上下に変更し、左右羽根は、室内機４から吹き出される空気の方向を必要に応じて左右に変更する。
【００２８】
なお、圧縮機６、送風ファン、上下羽根、左右羽根、四方弁８、膨張弁１２、電磁弁３０，４２、センサ等は制御装置（図示せず、例えばマイコン）に電気的に接続され、制御装置により制御される。
【００２９】
上記構成の本発明に係る冷凍サイクル装置において、各部品の相互の接続関係と機能を暖房運転時を例にとり冷媒の流れとともに説明する。
【００３０】
圧縮機６の吐出口から吐出された冷媒は、第１配管１８を通って四方弁８から室内熱交換器１６へと至る。室内熱交換器１６で室内空気と熱交換して凝縮した冷媒は、室内熱交換器１６を出て第２配管２０を通り、膨張弁１２への異物侵入を防止するストレーナ１０を通って、膨張弁１２に至る。膨張弁１２で減圧した冷媒は、第３配管２２を通って室外熱交換器１４に至り、室外熱交換器１４で室外空気と熱交換して蒸発した冷媒は、第４配管２４と四方弁８とアキュームレータ２６を通って圧縮機６の吸入口へと戻る。
【００３１】
また、第１配管１８の圧縮機６吐出口と四方弁８の間から分岐した第５配管２８は、第１電磁弁３０を介して第３配管２２の膨張弁１２と室外熱交換器１４の間に合流している。
【００３２】
さらに、内部に蓄熱材３６と蓄熱熱交換器３４を収納した蓄熱槽３２は、圧縮機６に接して取り囲むように配置され、圧縮機６で発生した熱を蓄熱材３６に蓄積し、第２配管２０から室内熱交換器１６とストレーナ１０の間で分岐した第６配管３８は、第２電磁弁４２を経て蓄熱熱交換器３４の入口へと至り、蓄熱熱交換器３４の出口から出た第７配管４０は、第４配管２４における四方弁８とアキュームレータ２６の間に合流する。
【００３３】
なお、図１では、ストレーナ１０を、第２配管２０における第６配管３８との分流部分と膨張弁１２の間に配置したが、第２配管２０における室内熱交換器１６と第６配管３８との分流部分の間に配置しても、膨張弁１２への異物侵入を防止するという機能は保持することができる。
【００３４】
ただし、ストレーナ１０には圧力損失があり、前者の配置にした方が、第２配管２０に
おける第６配管３８との分流部分において、冷媒が第６配管３８側に流れやすくなり、第６配管３８から蓄熱熱交換器３４を通って第７配管４０に至るバイパス配管系の循環量が増加する。その結果、蓄熱材３６の温度が高く蓄熱熱交換器３４の熱交換能力が非常に大きい場合においても、蓄熱熱交換器３４の循環量が多いため、蓄熱熱交換器３４の後半部で過熱度が高くなって熱交換できなくなる現象が起こりにくくなり、蓄熱熱交換器３４の熱交換量が十分発揮されて、除霜能力も十分に発揮されるという利点がある。
【００３５】
次に、図１に示される空気調和機の通常暖房時の動作及び冷媒の流れを模式的に示す図２を参照しながら通常暖房時の動作を説明する。
【００３６】
通常暖房運転時、第１電磁弁３０と第２電磁弁４２は閉制御されており、上述したように圧縮機６の吐出口から吐出された冷媒は、第１配管１８を通って四方弁８から室内熱交換器１６に至る。室内熱交換器１６で室内空気と熱交換して凝縮した冷媒は、室内熱交換器１６を出て、第２配管２０を通り膨張弁１２に至り、膨張弁１２で減圧した冷媒は、第３配管２２を通って室外熱交換器１４に至る。室外熱交換器１４で室外空気と熱交換して蒸発した冷媒は、第４配管２４を通って四方弁８から圧縮機６の吸入口へと戻る。
【００３７】
また、圧縮機６で発生した熱は、圧縮機６の外壁から蓄熱槽３２の外壁を介して蓄熱槽３２の内部に収容された蓄熱材３６に蓄積される。
【００３８】
次に、図１に示される空気調和機の除霜・暖房時の動作及び冷媒の流れを示す模式的に示す図３を参照しながら除霜・暖房時の動作を説明する。図中、実線矢印は暖房に供する冷媒の流れを示しており、破線矢印は除霜に供する冷媒の流れを示している。
【００３９】
上述した通常暖房運転中に室外熱交換器１４に着霜し、着霜した霜が成長すると、室外熱交換器１４の通風抵抗が増加して風量が減少し、室外熱交換器１４内の蒸発温度が低下する。本発明に係る空気調和機には、図３に示されるように、室外熱交換器１４の配管温度を検出する配管温度センサ４５が設けられており、非着霜時に比べて、蒸発温度が低下したことを配管温度センサ４５で検出すると、制御装置から通常暖房運転から除霜・暖房運転への指示が出力される。
【００４０】
通常暖房運転から除霜・暖房運転に移行すると、第１電磁弁３０と第２電磁弁４２は開制御され、上述した通常暖房運転時の冷媒の流れに加え、圧縮機６の吐出口から出た気相冷媒の一部は第５配管２８と第１電磁弁３０を通り、第３配管２２を通る冷媒に合流して、室外熱交換器１４を加熱し、凝縮して液相化した後、第４配管２４を通って四方弁８とアキュームレータ２６を介して圧縮機６の吸入口へと戻る。
【００４１】
また、第２配管２０における室内熱交換器１６とストレーナ１０の間で分流した液相冷媒の一部は、第６配管３８と第２電磁弁４２を経て、蓄熱熱交換器３４で蓄熱材３６から吸熱し蒸発、気相化して、第７配管４０を通って第４配管２４を通る冷媒に合流し、アキュームレータ２６から圧縮機６の吸入口へと戻る。
【００４２】
アキュームレータ２６に戻る冷媒には、室外熱交換器１４から戻ってくる液相冷媒が含まれているが、これに蓄熱熱交換器３４から戻ってくる高温の気相冷媒を混合することで、液相冷媒の蒸発が促され、アキュームレータ２６を通過して液相冷媒が圧縮機６に戻ることがなくなり、圧縮機６の信頼性の向上を図ることができる。
【００４３】
除霜・暖房開始時に霜の付着により氷点下となった室外熱交換器１４の温度は、圧縮機６の吐出口から出た気相冷媒によって加熱されて、零度付近で霜が融解し、霜の融解が終わると、室外熱交換器１４の温度は再び上昇し始める。この室外熱交換器１４の温度上昇
を配管温度センサ４５で検出すると、除霜が完了したと判断し、制御装置から除霜・暖房運転から通常暖房運転への指示が出力される。
【００４４】
次に、図４を参照しながら、第７配管４０と第４配管２４の合流部分（図３のＡ部）の形状について詳述する。
【００４５】
図４に示される形状の場合、第４配管２４の側方に約９０度の角度で第７配管４０が合流している。この形状は、第４配管２４内の冷媒に第７配管４０を流れる冷媒が衝突することから、第７配管４０から第４配管２４への流入部の抵抗が大きくなり、第６配管３８から蓄熱熱交換器３４を通って第７配管４０に至るバイパス配管系全体の圧力損失が増加し、このバイパス配管系の循環量が少なくなることがある。
【００４６】
蓄熱材３６の温度が高い場合、蓄熱熱交換器３４の熱交換能力は非常に大きく、蓄熱熱交換器３４の循環量が少ないと、蓄熱熱交換器３４の後半部で過熱度が高くなって熱交換できなくなるため、蓄熱熱交換器３４の熱交換量が頭打ちになって、除霜能力が十分に発揮できないことがある。
【００４７】
（実施の形態２）
図５は、この点を改善するための第７配管４０と第４配管２４の合流部分（図３のＡ部）の別の形状を示している。
【００４８】
図５に示される形状では、第４配管２４の側方に第４配管２４の上流側から９０度未満の角度で第７配管４０が合流している。この形状は、図４に示される形状と比較して、第４配管２４内の冷媒に第７配管４０を流れる冷媒が衝突する際の衝突損失が小さく、第７配管４０から第４配管２４への流入部の抵抗が小さくなることから、第６配管３８から蓄熱熱交換器３４を通って第７配管４０に至るバイパス配管系全体の圧力損失が減少し、バイパス配管系の循環量が増加する。
【００４９】
その結果、蓄熱材３６の温度が高く蓄熱熱交換器３４の熱交換能力が非常に大きい場合においても、蓄熱熱交換器３４の循環量が多いため、蓄熱熱交換器３４の後半部で過熱度が高くなって熱交換できなくなる現象が起こりにくくなり、蓄熱熱交換器３４の熱交換量が十分発揮されて、除霜能力も十分に発揮される。
【００５０】
（実施の形態３）
図６は、第７配管４０と第４配管２４の合流部分のさらに別の形状を持つ冷凍サイクルを示しており、図７は第７配管４０と第４配管２４の合流部分（図６のＢ部）を示している。
【００５１】
図３に示される第７配管４０と第４配管２４の合流部分は、四方弁８とアキュームレータ２６の間であったのに対し、本実施の形態では、図６に示されるように、第７配管４０と第４配管２４の合流部分はアキュームレータ２６と圧縮機６の間に位置している。
【００５２】
図３の構成では、蓄熱熱交換器３４で蓄熱材３６から吸熱して蒸発、気相化した冷媒は、第７配管４０を通って四方弁８とアキュームレータ２６の間で第４配管２４を通る冷媒に合流して、アキュームレータ２６から圧縮機６の吸入口へと戻っている。
【００５３】
しかしながら、除霜前に温度が低下したアキュームレータ２６は大きい熱容量を持っており、除霜時に蓄熱熱交換器３４から戻ってくる高温の気相冷媒が、アキュームレータ２６で冷却されてしまい、除霜に熱を十分使用することができず、除霜時間が延びてしまうことがある。
【００５４】
これに対し、本実施の形態では、室外熱交換器１４からの冷媒をアキュームレータ２６を介することなく圧縮機６に戻すことで、高温の気相冷媒の熱を除霜に無駄なく使用することができ、除霜時間の短縮を図ることができる。
【００５５】
なお、この構成は、本実施の形態に限られるものではなく、上述した実施の形態１あるいは２にも適用できるものである。
【００５６】
また、図６及び図７に示されるように、第４配管２４と第７配管４０の合流部分は略Ｕ字状に形成されており、第７配管４０が第４配管２４との合流部分の上流側で第４配管２４と略平行となるように第４配管２４に接続されている。すなわち、第４配管２４を通る冷媒と第７配管４０を通る冷媒を略平行流として合流させることで、両者の衝突損失を極力低減している。
【００５７】
＜室外送風ファンの制御＞
次に、制御動作を示す図８を参照しながら、室外送風ファン４８等の制御について説明する。以下に記載する室外送風ファンの制御は、上述した各実施の形態の冷凍サイクル装置に適用することができる。
【００５８】
暖房運転時、室外空気温度が高い場合に、一般的には大きい暖房能力を必要とせず、本発明のような冷凍装置では、圧縮機６の能力が低く制御されるために、圧縮機６の温度が上昇しにくく、その結果、蓄熱材３６の温度も上昇しないことが多い。
【００５９】
一方で、外気温が高い場合でも、室外熱交換器１４の温度が氷点下であり、なおかつ室外空気の露点温度を下回っていれば、室外熱交換器１４には霜が成長する。
【００６０】
このような場合、霜の成長は遅い場合が多いが、除霜運転が必要なことを検知するためには、一定量の霜が付いて室外熱交換器１４が霜で目詰まりして、室外熱交換器１４の温度が下がることが必要なため、除霜運転に入る時点での霜量は通常と変わらず、蓄熱量が少ないことで、除霜時間が長くなったり、霜が残ってしまう恐れがあった。
【００６１】
このような傾向は、蓄熱量が、除霜運転前の圧縮機６の運転状況に左右される、本発明のような構成に特有の性質である。
【００６２】
図８において、除霜運転前に、蓄熱材温度センサ４６で蓄熱材３６の温度Ｔｓを検知する。
【００６３】
着霜が進行して、除霜が必要と判定した場合（着霜判定方法については省略）、前述のように第１電磁弁３０、第２電磁弁４２を開く。
【００６４】
ほぼ同時に、除霜開始前に検知した蓄熱材温度Ｔｓを予め決めた判定用温度と比較する。この判定用温度は、蓄熱材３６の比熱や、室外熱交換器１４から決められるが、本実施例の場合、圧縮機６が低能力で運転した場合の温度（例えば４０℃）から、それに伝熱の損失等を考慮して例えば３０℃に決めている。
【００６５】
また、同時に、室外温度センサ４４で室外空気温度Ｔｏを検知し、これも予め決めた判定用温度と比較する。この判定用温度は、室外空気温度が０℃以上の場合のみ、室外空気の持つ熱量が除霜に資することができることと、設計的な誤差を考慮して、本実施例の場合、例えば１℃に決めている。
【００６６】
上記の、双方の温度判定が共に、成立した場合、図のように室外送風ファン４８を運転する設定で、除霜運転を行う。
【００６７】
一方、双方の温度判定のどちらかが成立しない場合、図のように室外送風ファン４８を停止する設定で、除霜運転を行う。
【００６８】
本実施例では、除霜運転開始時点で、温度判定を行い、除霜運転中の室外送風ファン４８の運転状態を決めているが、除霜運転の途中で、室外空気温度の判定を行い、室外送風ファンの運転を開始、あるいは停止しても同様の効果を奏することはいうまでもない。
【産業上の利用可能性】
【００６９】
本発明に係る冷凍サイクル装置は、圧縮機の排熱を利用する、空気熱源式のヒートポンプにおいて、高室外気温時の除霜能力を向上させることができるので、空気調和機、給湯器、ヒートポンプ式洗濯機等に有用である。
【符号の説明】
【００７０】
２  室外機、  ４  室内機、  ６  圧縮機、  ８  四方弁、  １０  ストレーナ、
１２  膨張弁、  １４  室外熱交換器、  １６  室内熱交換器、  １８  第１配管、
２０  第２配管、  ２２  第３配管、  ２４  第４配管、  ２６  アキュームレータ、
２８  第５配管、  ３０  第１電磁弁、  ３２  蓄熱槽、  ３４  蓄熱熱交換器、
３６  蓄熱材、  ３８  第６配管、  ４０  第７配管、  ４２  第２電磁弁、
４４  室外温度センサ、４５  配管温度センサ、４６  蓄熱材温度センサ、
４８  室外送風ファン。
【図８】
2012078015.tif 000003
【図１】
2012078015.tif 000004
【図２】
2012078015.tif 000005
【図３】
2012078015.tif 000006
【図４】
2012078015.tif 000007
【図５】
2012078015.tif 000008
【図６】
2012078015.tif 000009
【図７】
2012078015.tif 000010
【図９】
2012078015.tif 000011